(57)【要約】【課題】エレベーターの走行時間とエレベーター利用者の属性に合わせたコンテンツ表示を行い、エレベーター内表示装置の表示読了に利用者の不快感を解消すること。【解決手段】建物の設備機器の異常発生を監視しエレベーターの運行を監視する監視装置２０は、エレベーターのユーザー属性を設定するユーザー属性設定部１６と、出発階と目的階から走行時間を演算する走行時間演算部１７と、走行時間に収まるように適合するコンテンツを選択するコンテンツ選択部１８と、選択したコンテンツの表示時間と走行時間とからかご内でのコンテンツ表示に必要な時間を演算するコンテンツ表示時間演算部１９と、コンテンツ種別毎にユーザー属性に対応した読了時間を格納する表示コンテンツテーブル１５と、を有し、ユーザー属性に対応して選択したコンテンツの積算時間が走行時間に収めるように表示コンテンツを選択すること。【選択図】図１
2015086014.tif 000002
【特許請求の範囲】
【請求項１】
建物の設備機器の異常発生を監視し通信回線を介して遠隔接続される監視センターに前記設備機器の異常発生を通報するとともに、建物内のエレベーターの運行を監視する監視装置と、かご内表示装置、かご内コンテンツ記憶部、かご内コンテンツ選択部を有する乗りかごと、前記乗りかごの昇降動作を制御するエレベーター制御盤と、を備え、
前記監視装置は、エレベーターを利用するユーザー属性を設定するユーザー属性設定部と、前記エレベーター制御盤を通してエレベーターの呼び登録情報から得た出発階と目的階から走行時間を演算する走行時間演算部と、前記走行時間演算部で演算した走行時間に収まるように適合するコンテンツを選択するコンテンツ選択部と、前記コンテンツ選択部で選択したコンテンツの表示時間と前記走行時間演算部で演算した走行時間とから前記かご内表示装置でのコンテンツ表示に必要な時間を演算するコンテンツ表示時間演算部と、お知らせ事項又はニュースを含むコンテンツ種別毎に前記ユーザー属性に対応した読了時間を格納する表示コンテンツテーブルをもつ記憶装置と、を有し、
前記ユーザー属性に対応して前記選択したコンテンツの積算時間が前記走行時間に収めるように前記表示コンテンツテーブルに格納されたコンテンツを参照して表示コンテンツを選択し、前記選択した表示コンテンツを前記エレベーター制御盤を通して前記かご内コンテンツ選択部に指令する
ことを特徴とするエレベーターの表示システム。
【請求項２】
請求項１において、
前記選択したコンテンツの積算時間が前記走行時間より長くなった場合、コンテンツ表示に必要な残時間を前記コンテンツ表示時間演算部で演算し、
前記演算した残時間をエレベーターの走行制御で確保して、前記エレベーターの走行時間内に表示コンテンツを読了させる
ことを特徴とするエレベーターの表示システム。
【請求項３】
請求項１または２において、
前記ユーザー属性設定部で設定するユーザー属性は、エレベーターの設置された建物であるオフィスビル、マンション又は病院を利用するユーザーの種別であり、
前記表示コンテンツテーブルには前記ユーザー属性毎に表示コンテンツの読了時間が設定され格納されている
ことを特徴とするエレベーターの表示システム。
【請求項４】
請求項３において、
前記ユーザー属性設定部にユーザー属性を設定する該当の建物が無い場合、標準建物を設定することを特徴とするエレベーターの表示システム。
【発明の詳細な説明】
【技術分野】
【０００１】
本発明は、エレベーターの表示システムに係り、特にエレベーターのかご内に設けられてエレベーターの走行中にかご内部の利用者へ情報を提供するために好適なエレベーターの表示システムに関する。
【背景技術】
【０００２】
エレベーターの昇降動作中にかご内部の乗客へ情報を表示する装置において、通常時は文字情報を水平スクロールしながら表示し、さらに、文字情報の表示所要時間がエレベーターの走行時間より長い場合は文字情報を上下にスクロール表示することにより、乗客に対して全ての文字情報を提供することを可能とする技術が、例えば特許文献１に開示されている。
【０００３】
また、列車内の乗客に向けて各種の情報を表示する車内案内情報表示装置において、次駅までの所要時間を算出し、当該所要時間に収まるようにコンテンツリストから再生するコンテンツを選択することにより、コンテンツの表示中に停車して乗客が乗降することによるコンテンツ表示の中断による乗客の不快感を解消し、広告媒体としての価値向上を可能とする技術が、例えば特許文献２に開示されている。
【先行技術文献】
【特許文献】
【０００４】
【特許文献１】特開昭６１−１３６８８７号公報
【特許文献２】特開２０１０−２５３９７９号公報
【発明の概要】
【発明が解決しようとする課題】
【０００５】
近年、エレベーター内の表示装置は低価格化する液晶画面を用いて大型化してきており、エレベーター内の表示装置に表示される情報量が増大してきている。このような状況においては、上記の特許文献１に記載のように、スクロール表示を行う表示方法は長文を読むのには適さず、エレベーター利用中に乗客が情報が読み終えることができず不快感を与えるという課題があった。
【０００６】
また、上記の特許文献２に記載のように、列車運行の所要時間を算出し、所要時間に収まるようにコンテンツリストから再生するコンテンツを選択する方法では、コンテンツは動画が殆どであってその再生時間が秒単位で決まっているが、テキストで文章を表示するものではなく、エレベーターのように短い時間で文章を読ませる用途では不向きであり、ニュース情報又はお知らせ事項をテキストを提供した場合、一律に時間単位で表示を切り替えるため、利用者によっては文章を読み終える前に表示が切り替わってしまい不快感を与えるという課題があった。
【０００７】
本発明の目的は、エレベーターの運行に合わせ、且つエレベーターを利用する利用者の属性（例．オフィスビル、マンション又は病院等の建物内のエレベーターを利用するユーザー属性）に適合するコンテンツ表示を行い、コンテンツ表示が中断されることによる利用者の不快感を解消可能なエレベーターの表示システムを提供することにある。
【課題を解決するための手段】
【０００８】
前記課題を解決するために、本発明は主として次のような構成を採用する。  
建物の設備機器の異常発生を監視し通信回線を介して遠隔接続される監視センターに前記設備機器の異常発生を通報するとともに、建物内のエレベーターの運行を監視する監視装置と、かご内表示装置、かご内コンテンツ記憶部、かご内コンテンツ選択部を有する乗りかごと、前記乗りかごの昇降動作を制御するエレベーター制御盤と、を備え、前記監視装置は、エレベーターを利用するユーザー属性を設定するユーザー属性設定部と、前記エレベーター制御盤を通してエレベーターの呼び登録情報から得た出発階と目的階から走行時間を演算する走行時間演算部と、前記走行時間演算部で演算した走行時間に収まるように適合するコンテンツを選択するコンテンツ選択部と、前記コンテンツ選択部で選択したコンテンツの表示時間と前記走行時間演算部で演算した走行時間とから前記かご内表示装置でのコンテンツ表示に必要な時間を演算するコンテンツ表示時間演算部と、お知らせ事項又はニュースを含むコンテンツ種別毎に前記ユーザー属性に対応した読了時間を格納する表示コンテンツテーブルをもつ記憶装置と、を有し、前記ユーザー属性に対応して前記選択したコンテンツの積算時間が前記走行時間に収めるように前記表示コンテンツテーブルに格納されたコンテンツを参照して表示コンテンツを選択し、前記選択した表示コンテンツを前記エレベーター制御盤を通して前記かご内コンテンツ選択部に指令するエレベーターの表示システム。
【発明の効果】
【０００９】
本発明によれば、エレベーターを利用するユーザー属性（例．オフィスビル、マンション又は病院等の建物内のエレベータを利用するユーザー属性）に対応してエレベーターかご内に表示するコンテンツを選択することにより、ユーザーが表示されたコンテンツ内容を読み終わる前に画面が切り替ることが防止できるので、かご内でのコンテンツ表示において、利用者への不快感を与えることなく、かつ利便性を向上させることができる。
【図面の簡単な説明】
【００１０】
【図１】本発明の実施形態に係るエレベーターの表示システムの全体構成を示すブロック図である。
【図２】本実施形態に係るエレベーターの表示システムにおける表示コンテンツとユーザー属性を説明する図である。
【図３】本実施形態に係るエレベーターの表示システムにおける表示動作を説明するフローチャートである。
【図４】本実施形態に係るエレベーターの表示システムにおけるエレベータ走行時間とユーザー属性毎の表示コンテンツのパターン例を示す説明図である。
【発明を実施するための形態】
【００１１】
本発明の実施形態に係るエレベーターの表示システムについて、図１〜図４を参照しながら以下説明する。図１〜図４の説明は、上記の図面の簡単な説明欄に記載したとおりである。
【００１２】
図面において、１はエレベーター制御盤、２は電動機、３は釣り合い錘、４はワイヤーロープ、５は乗りかご、６はかご内コンテンツ選択部、７はかご内コンテンツ記憶部、８はかご内表示装置、９は昇降路、１１は入出力装置、１２は制御装置、１３は表示指令部、１４は記憶装置、１５は表示コンテンツテーブル、１６はユーザー種別設定部、１７は走行時間演算部、１８はコンテンツ選択部、１９はコンテンツ表示時間演算部、２０は監視装置、をそれぞれ表す。
【００１３】
図１において、一般的にエレベーターは、電動機２の制御を含むエレベーター制御を行うエレベーター制御装置を内部に設置するエレベーター制御盤１と、建物に設けられる昇降路９に配置される乗りかご５と、釣合い錘３と、を備えている。ここで、乗りかご５と釣合い錘３は、電動機２と同期して回転する綱車に巻き掛けられる複数本のワイヤーロープ４の両端に、釣瓶式に取付けられている。
【００１４】
また、エレベーター制御盤１は、電動機２を正転及び逆転の制御を行い、ワイヤーロープ４を介して乗りかご５と釣り合い錘３を昇降させて、乗りかご５に乗込んだ乗客を輸送する。
【００１５】
また、エレベーター乗りかご５内に設置されたかご内コンテンツ記憶部７に格納されている表示コンテンツ（ニュース、注意喚起事項（お知らせ事項）等の表示コンテンツ自体）を、エレベーター乗りかご５内に設置されたかご内コンテンツ選択部６（後述する監視装置２０内のコンテンツ選択部１８での制御指示に基づいて）で選択し、エレベーター乗りかご５内に設置されたかご内表示装置８に表示する。
【００１６】
監視装置２０は、本来の基本的機能として、設備機器の異常状況を検出し、通信回線を介して遠隔的に接続される図示しない監視センターへ当該異常を通報するものであり、この基本的機能の外に図１に示すエレベーターの監視機能を備えている。
【００１７】
すなわち、監視装置２０は、設備機器との信号の入出力を行う入出力装置１１と、入出力装置１１の入力信号の変化を検出し、組み込まれた所定のプログラムで監視装置２０の制御を行う制御装置１２と、を有し、さらに、建物毎に予め設定され建物を利用するユーザー属性を格納しておき、且つユーザー属性毎に表示コンテンツを読了する時間を予め設定しておく表示コンテンツテーブル１５を格納しておく記憶装置１４と、エレベーター乗りかご５内に設置されたかご内表示装置８にコンテンツ表示を指示する表示指令部１３と、を備えている。
【００１８】
ここで、ユーザー属性というのは、例えば、オフィスビル、マンション又は病院等の建物内のエレベーターを利用するユーザーの種別を表し、オフィスビルを例にとると建物を利用するユーザーは大部分成人であり、マンションを例にとるとユーザーは幅広い年齢層をカバーしており、病院を例に取るとユーザは高齢者が多い、というユーザー属性（図２を参照）が存在する。
【００１９】
監視装置２０はさらに、建物毎に予め設定され建物を利用するユーザー属性を設定するユーザー種別（属性）設定部１６と、エレベーター利用者の呼び登録及び目的階設定情報を、入出力装置１１及び制御装置１２を介して、エレベーター制御盤１から入手し、走行時間を演算する走行時間演算部１７と、走行時間演算部１７で演算した走行時間に合致した表示コンテンツを適宜に選択するコンテンツ選択部１８と、コンテンツ選択部１８で選択したコンテンツの表示時間と走行時間演算部１７で演算した走行時間からコンテンツ表示に必要な時間を演算するコンテンツ表示時間演算部１９と、を備えている。
【００２０】
次に、図２において、建物を利用するユーザー属性（例．オフィスビル、マンション、又は病院等の建物を利用するユーザーの属性）毎に、表示コンテンツを読了する時間を予め設定している。読了時間とは、ユーザーが表示コンテンツを読む場合に所要する時間を表す情報であり、ユーザー属性毎に異なる時間となる。設定データには、表示コンテンツ種別や、コンテンツ名、およびユーザー属性毎の読了時間を、ユーザー属性毎に格納している。
【００２１】
例えば、表示コンテンツ種別がテキストニュースの場合、コンテンツ名はＣｌであり、ユーザー属性がオフィスビルの場合、主なユーザーは文字を読むスピードが早いと想定される成人が多いことより読了時間を５秒と設定し、ユーザー属性が標準の場合は８秒と設定し、ユーザー属性がマンションの場合はユーザーの年齢層が広がるため１０秒と設定し、ユーザー属性が病院の場合は高齢者の利用が想定されるため１５秒と設定する。また同様に、ユーザー作成テキストの場合、注意喚起事項（お知らせ事項）の場合、風景画像の場合毎に読了時間が設定されている。このようなユーザー属性毎の読了時間は監視装置２０の記憶装置１４内の表示コンテンツテーブル１５に予め記憶されている。
【００２２】
次に、本発明の実施形態に係るエレベーター表示装置の動作について、図３と図４を参照しながら説明する。図３は本実施形態に係るエレベーターの表示装置における表示動作を説明するフローチャートであり、図４は本実施形態に係るエレベーターの表示装置におけるエレベータ走行時間とユーザー属性毎の表示コンテンツのパターン例を示す説明図である。
【００２３】
まず、監視装置２０のユーザー種別設定部１６は、制御装置１２をとおして記憶装置１４に当該エレベータのユーザ属性が設定されているか否かをみて、記憶装置１４に格納されている建物を利用するユーザー属性を取得し（ステップＳｌ）、当該エレベーターのユーザー属性をセットする（ステップＳ２）。走行時間演算部１７は、入出力装置１１及び制御装置１２を介してエレベーター制御盤１から、エレベーター利用者の呼び登録情報から出発階と目的階を取得し、エレベーターの走行時間を演算する（ステップＳ３）。
【００２４】
次に、コンテンツ選択部１８は、記憶装置１４に格納されている表示コンテンツテーブル１５を参照し、必要ならば複数の表示コンテンツ（図２と図４を参照）を選択し（ステップＳ４）、ステップＳ２でセットしたユーザー属性の表示コンテンツ種別毎の読了時間を積算する（ステップＳ５）。
【００２５】
ここで、ステップＳ３で演算したエレベーターの走行時間に収まるように表示コンテンツを選択し、選択した表示コンテンツの積算時間がエレベーターの走行時間に達した時点で（ステップＳ６）、表示コンテンツの選択を完了する。なお、選択した表示コンテンツ（表示コンテンツが１つに限らず、例えば、図２に示す表示コンテンツ種別毎に複数の表示コンテンツを選択することが当然に可能）の積算時間がエレベーターの走行時間に達していない場合は、ステップＳ４に戻り、選択した表示コンテンツの積算時間がエレベーターの走行時間に達するまで継続する。選択した表示コンテンツの積算時間がエレベーターの走行時間と同じ場合は（ステップＳ７）、コンテンツ選択を完了する。
【００２６】
選択した表示コンテンツの積算時間がエレベーターの走行時間より大きい場合は、コンテンツ表示に必要な残時間をコンテンツ表示時間演算部１９で演算し（ステップＳｌｌ）、必要な残時間をエレベーターを制御し（ステップＳ１２）エレベータを走行させて、コンテンツ表示時間を確保する。
【００２７】
次に、エレベーター走行時間に応じた表示コンテンツの選択手法について、図４を用いて説明する。エレベーターの乗りかご５のドアが閉まり、目的階に出発する場合、出発した時間ＴＳから加速後、定常走行を行った後に減速して目的階に到着し、エレベーターの乗りかご５のドアが開く時間ＴＯまでの時間が、エレベーター走行時間ＴＲであることを示す。例えば、エレベーター走行時間ＴＲを３０秒とした場合、例えばユーザー属性がオフィスビルの場合、コンテンツ選択部１８は、表示コンテンツを表示コンテンツ種別毎に、コンテンツ名Ｃｌ，Ｃ２，Ｃ４の順番で繰り返し選択し、エレベーター到着直前のコンテンツのみＣ３を選択する。なお、コンテンツＣ３を最後の表示としたのは、Ｃ３が図２を参照すると注意喚起事項であることに因っており、表示コンテンツの順番には特にこだわらなくてもよい。
【００２８】
図４のユーザー属性がオフィスビルの場合、コンテンツＣｌで５秒、コンテンツＣ２で５秒、コンテンツＣ４で５秒、次いで繰り返し、コンテンツＣｌで５秒、コンテンツＣ２で５秒とし、エレベーター到着直前のため、コンテンツＣ３を選択し５秒とする。ここまで積算すると３０秒となり、ユーザー属性がオフィスビルで、エレベーター走行時間が３０秒の場合の表示コンテンツが決定される。
【００２９】
同様に、例えばユーザー属性が標準の場合は、コンテンツＣｌで８秒、コンテンツＣ２で８秒、コンテンツＣ４で８秒、次いでエレベーター到着直前のため、コンテンツＣ３を選択し８秒とするが、ここまで積算すると表示時間は３２秒となる。この結果、エレベーター走行時間３０秒より２秒多くなるが、図２のユーザー属性毎の読了時間のコンテンツテーブルを参照すると、ユーザー属性が標準の場合、２秒短い時間に適する表示コンテンツが無いことから、表示コンテンツＣ３を８秒間表示するために、エレベーターが目的階に到着しドアを開するまでの時間を２秒延長するようにエレベーターを制御する。このエレベータの走行制御によって、コンテンツ表示時間３２秒を満たすエレベーター走行時間３２秒とすることができる。このように、ユーザー属性が標準でエレベーター走行時間が３０秒であった場合の表示コンテンツが決定される。
【００３０】
同様に、ユーザー属性がマンションの場合はコンテンツＣｌで１０秒、コンテンツＣ２で１０秒、エレベーター到着直前の表示コンテンツＣ３をコンテンツＣ３で１０秒とし、積算３０秒となりコンテンツ表示時間をエレベーター走行時間３０秒と同じ時間とすることが出来、ユーザー属性がマンションで、エレベーター走行時間が３０秒の場合の表示コンテンツが決定される。
【００３１】
また、ユーザー属性が病院の場合はコンテンツＣｌで１５秒、エレベーター到着直前の表示コンテンツＣ３をコンテンツＣ３で１５秒とし、積算３０秒となりコンテンツ表示時間をエレベーター走行時間３０秒と同じ時間とすることが出来、ユーザー属性が病院で、エレベーター走行時間が３０秒の場合の表示コンテンツが決定される。
【００３２】
次に、図３のフローチャートに戻り、表示コンテンツが決定した後（ステップＳ８）、監視装置２０の表示指令部１３は、制御装置１２および入出力装置１１を介してかご内コンテンツ選択部６に対して、選択した表示コンテンツを表示するよう指令する（ステップＳ９）。ここで、かご内コンテンツ選択部６は監視装置２０内のコンテンツ選択部１８とは異なり、コンテンツを選択する制御機能を有しておらず、かご内のコンテンツ記憶部７に格納されたコンテンツを選択する機能のみを有している。さらに、監視装置２０の表示指令部１３は、制御装置１２及び入出力装置１１を介してエレベーター制御盤１に対して、コンテンツ表示時間を確保するためのエレベーター制御を指令する（ステップＳ９）。
【００３３】
かご内コンテンツ選択部６は、表示指令部１３から指令された選択した表示コンテンツ情報に応じて、コンテンツ記憶部７に格納されているコンテンツを取得し、かご内表示装置８にコンテンツを表示し、また、エレベーター制御盤１は表示指令部１３から指令されたエレベーター制御を行い、コンテンツ時間を確保する。
【００３４】
また、ステップＳｌでユーザー属性の設定が無い場合は、その建物はユーザー属性を標準とセットし（ステップＳｌ０）、ステップＳ３以降に進む。
【００３５】
本実施形態によれば、ユーザー属性毎の読了時間を設定し、エレベーターの走行時間に応じた表示コンテンツ選択が出来るようにしたので、エレベーター利用者がかご内表示装置の表示コンテンツを読了する前に表示が切り替る事が防止できるため、エレベーター利用者の不快感を解消できる。
【００３６】
また、本実施形態では、エレベーターの走行時間に応じた表示コンテンツ選択の結果、エレベーターの走行時間より長くなった場合でもコンテンツ表示するためエレベーターを制御し、コンテンツ表示時間確保が出来るようにしたので、エレベーター利用者がかご内表示装置の表示コンテンツを読了する前に表示が切り替ることが防止できるため、エレベーター利用者の不快感を解消できる。
【００３７】
また、本実施形態では、ユーザー属性毎の読了時間を設定可能であり、エレベーターの運用を行った結果を反映した読了時間の設定変更が可能である。また、本実施形態では、建物のユーザー属性が決定していない場合、又は設定漏れが有った場合も標準的な読了時間を元に表示コンテンツの設定ができる。
【００３８】
また、本実施形態では、エレベーター制御盤１に接続する監視装置２０にてコンテンツ表示を指令したが、図示しない通信回線を介して遠隔的に接続される監視センターから表示コンテンツを選択し、表示指令を行っても、同様なる効果が得られる。また、本実施形態では、図２に示す表示コンテンツとユーザー属性を例に取り説明したが、これに限らず、ユーザー属性の追加、表示コンテンツ種別を増やしても減らしても同様に適用することが可能である。
【符号の説明】
【００３９】
１  エレベーター制御盤
２  電動機
３  釣り合い錘
４  ワイヤーロープ
５  乗りかご
６  かご内コンテンツ選択部
７  かご内コンテンツ記憶部
８  かご内表示装置
９  昇降路
１１  入出力装置
１２  制御装置
１３  表示指令部
１４  記憶装置
１５  表示コンテンツテーブル
１６  ユーザー種別設定部
１７  走行時間演算部
１８  コンテンツ選択部
１９  コンテンツ表示時間演算部
２０  監視装置
【図１】
2015086014.tif 000003
【図２】
2015086014.tif 000004
【図３】
2015086014.tif 000005
【図４】
2015086014.tif 000006